(57)【要約】本発明は、家屋の構造のための方法に関するものである。つまり、上昇と下降を行うものである。従って、前記構造は全ての窓と全てのドアを閉じる。本発明は、大規模な建物を建設するための方法を提供し、前記建物が大型台風で破壊されないか、又は平原地帯や山岳地帯において犯罪者の不法侵入から守られる構造を有することを特徴とする。前記方法では、全ての窓とドアが即時に閉じられる。全てのドアと窓が閉じられるため、危険を回避でき、危険な状況に効果的に対処することができ、さらに、火災の延焼被害が軽減される。従って、本発明は台風の被害を軽減する建物を提供するものであり、さらに、本発明は強盗の建物内侵入を終結させる。【選択図】図１
2009532596.tif 000002
【特許請求の範囲】
【請求項１】
空に向かって上昇し、かつ下降する本発明の構造による屋根と外壁。（本構造は、空気圧や油圧機器の動力又は前記ギアやマニュアルシステムを用いることにより、空に向かう上昇が複合的に達成され、図２の３の昇降機械は、簡単な操作によって圧力を除去することで下降する機械装置である）。このため、前記構造は暴風雨や強風から守られ、建物は強力な台風から守られ、さらに、泥棒や強盗群などの押し入りも排除される。同時に、本発明の二重外壁は空に向かって上昇中に全てのドアを開き、同時に、前記二重外壁は下降中に全てのドアを遮断する。つまり、上昇と下降を行うものである。このため、全ての窓と全てのドア閉じる構造は、開時全ての窓と全てのドアを開く構造でもある。
【発明の詳細な説明】
【技術分野】
【０００１】
本発明では、大平原地帯で上方に風防なしで建てられる従来の大工場や大型穀物貯蔵庫を頑丈に構築して台風に適用する。本発明は、従来、非可燃物であることがわかっている大型金庫内に黄土でできた家を提供する。本発明は、従来、非可燃物であることがわかっている大型金庫内にわらぶき小屋を構築する。
【０００２】
本発明は、従来、非可燃物であることがわかっている大型金庫内に木造家屋を提供する。本発明では、有事に全ての窓とドアを閉じるか又は下降させることにより、大型台風で破壊されず、平原地帯や山岳地帯において建設される大規模な建物における犯罪者の不法侵入を防ぐ構造を有する建物を提供する。全てのドアと窓が閉じられるため、突発状況に効果的に対処することができる。本発明は、強盗の侵入を防ぎ、台風の急襲に備えるためになされたものである。
【背景技術】
【０００３】
本発明では、建物の壁と屋根が昇降し、前記壁をさらに速く下降させるように機械装置が設置され、前記壁と屋根は不燃材で構築され、木材家屋が建物内に建てられる。つまり、黄土でできた家が建物内に提供される。
【０００４】
同時に、本発明では、窓のある壁を持つ家屋において、その窓の内側と外側を囲むように下降する壁が設けられる。従って、昇降機器がその下降する壁の下部に設置される。
【発明の開示】
【発明が解決しようとする課題】
【０００５】
本発明は耐火住宅を提供する。
【０００６】
本発明は山村猛獣の襲撃を遮断する住宅を提供する
【０００７】
さらに、本発明では、優れた防弾性能を持つ建物も提供される。
【０００８】
さらに、台風に耐える住宅も提供される。
【課題を解決するための手段】
【０００９】
本発明は増築建物の内側に木造家屋を建設する。このため、木造家屋が台風に耐え得る住宅となる。
【００１０】
本発明は増築建物の内側に黄土でできた家を提供する。このため、黄土でできた家が耐火住宅となる。
【００１１】
本発明の増築建物は非可燃金庫室のような役割を果たすため、火災と台風に耐える住宅となる。
【発明の効果】
【００１２】
ドアの内側と外側にある二重壁は昇降する。このため、危険な状況が遮断され、台風の被害が軽減され、押し入り強盗が排除され、猛獣の襲撃が阻止される。さらに、該二重壁は建物外の火災から建物を守る。
【００１３】
本発明の建物部内には、木造家屋を建設することも、泥でできた家を建設することもできる。このため、建物を構成する各種材料で、その居住者の健康を助長することができる。
【００１４】
該建物は、押し入り強盗群の侵入を阻止する安全な建物である。
【００１５】
さらに、本発明の建物は強力な台風からも守られる。
【発明を実施するための最良の形態】
【００１６】
本発明を実施するために構成を要約する場合、その構成は以下と同一である。
【００１７】
本発明は建物の屋根と壁が昇降する住宅である。
【００１８】
本発明の建物の屋根と壁が下降した状態では、全ての窓と全ての出入口は遮断される。
【００１９】
本発明の住宅は、前記壁が窓と出入口の内側と外側で昇降するように構成される。
【００２０】
本発明の住宅は外部火災の発生時に有用である。
【００２１】
本発明の住宅の構成は不燃の大型金庫と同様である。
【００２２】
本発明の構造部内には木造家屋を示すが、黄土でできた家を建設することもできる。
【００２３】
本発明は暴風雨に弱い住宅を守る。
【００２４】
本発明では、台風が襲来する場合に屋根と壁が下降する。
【００２５】
本発明では、強盗が接近する場合に屋根と壁が下降する。
【００２６】
本発明の構造は、前記非可燃金庫（耐火金庫）などの家屋の構造と同様である。
【００２７】
本発明は黄土でできた家を台風から守る。
【００２８】
本発明では、泥棒の侵入時に屋根と壁が下降して入出路を遮断する。
【００２９】
本発明の壁の下部は単に下降するばかりでなく、地面まで完全に下降する。
【００３０】
本発明の壁が上昇中に出入口は開かれた状態になる。
【００３１】
本発明の住宅は山村地帯において有用である。
【００３２】
本発明の壁は異常事態が発生した瞬間に下降する。
【００３３】
本発明は、盗難などの被害にあいやすい平原地帯において有用である。
【００３４】
本発明の構造は耐台風構造と同様である。
【００３５】
本発明は、耐台風構造の工場に類似する住宅である。
【００３６】
本発明は、耐台風構造の倉庫と同様の住宅である。
【００３７】
本発明は、台風で破壊されない住宅である。
【００３８】
本発明は、暴風雨に耐える住宅である。
【００３９】
本発明の目的は、台風に弱い木造家屋を守ることである。
【００４０】
本発明の目的は、強盗を阻止する家屋を構築することである。
【００４１】
本発明は、全ての出入口と全ての窓を瞬時に閉じ、開けることができる住宅である。
【００４２】
本発明は、大型倉庫内に家屋を構築するものである。
【００４３】
本発明は、大工場内に家屋を構築するものである。
【００４４】
本発明の住宅では、外壁を金属製とするが、前記外壁は鉄筋コンクリートで構築することもできる。
【００４５】
つまり、前記外壁は、木材で構築しても、プラスチックを用いて製造してもよい。
【００４６】
本発明の建物では、窓と出入口が２つ以上設けられている。
【００４７】
本発明の屋根と壁は一体化されている。
【００４８】
本発明の建物には、本発明の家屋部と外部を接続する地下道が設けられている。
【００４９】
本発明の建物の窓の内側と外側で前記壁は下降し、かつ、上昇する。
【００５０】
つまり、本発明の窓の外周壁は上昇かつ下降する。
【００５１】
つまり、本発明の二重外壁構造は上昇かつ下降する。
【００５２】
本発明の屋根と壁は鉄筋コンクリートで製造可能である。
【００５３】
本発明の屋根と壁の構成は、片側が開かれた状態のペーパービンと同様である。
【００５４】
本発明の屋根と壁は、前記壁の下部を押し上げる前記機器により上昇される。
【００５５】
本発明の屋根と壁は、前記壁の下部にある前記機器が下降すると、それとともに下降する。
【００５６】
本発明の住宅の壁を昇降させる前記機器の誤動作が発生した場合には、地下道を介して外側に出ることができる。
【００５７】
本発明の住宅の壁を支える機器は車両リフトと同様である。
【００５８】
本発明の壁を上昇させる機器は、車の修理時に使用される車両リフトと同様である（カーリフト）。
【００５９】
本発明の壁を昇降させる機器は家屋部の内側又は外側に複数設置される。
【００６０】
本発明の壁を上昇させる機器は、そのいずれかの側壁下部に設置される。
【００６１】
本発明の壁を昇降させる機器は４つの側壁下部に複数設けられる。
【００６２】
本発明の壁を昇降させる機器は全て単一操作によって下降する。
【００６３】
本発明の壁を昇降させる機器は全て単一操作によって上昇する。
【００６４】
本発明は豪雨に脆弱な住宅を守る。
【００６５】
本発明の家屋部内には、豪雨に脆弱な家屋が建てられる。
【００６６】
本発明は、居住者の健康を助長する材料で家屋を構築する。
【００６７】
本発明の建物内には、豪雨に脆弱な家屋が建てられる。
【００６８】
建物の屋根と壁を高めるための装置は、手動で回転されるマニュアルシステムの機械装置である。
【００６９】
建物の壁を押し上げる前記機械装置の圧力が解除されると、建物の壁は重力作用により即時に落下する。
【００７０】
特定の電気信号が検出されると、異常時に備えるため対照が行われ、地下を通って外に出るための経路が確保される（図２床側通路。前記地下道）。
【実施例】
【００７１】
本発明は外側の建物と内側の住宅とを有する。
【００７２】
前記外側の建物は非可燃金庫室のような役割を果たすため、効果的に危険性に対処する。
【００７３】
前記外側の建物の屋根と壁は空に向かって上昇し、さらに下降し、内側の従来の住宅のような構成となっている。
【００７４】
さらに、内側の住宅は外側の建物よりも軽量で、それほど強靭に構築されないが、外側の建物は火災によく耐え、豪雨の被害が軽減され、台風襲来時の被害が軽減され、押し入り強盗が排除され、猛獣の襲撃が阻止される。
【００７５】
内側の住宅には、外に出られる前記地下道が作られる。
【００７６】
建物の壁（１）が下降すると、前記窓の上部と接触する。このため、該壁はそれ以上下降しない。
【００７７】
つまり、建物の壁が下降すると、前記壁は農地などの地面に達し、さらに下降しない。
【００７８】
建物の壁が下降すると、前記昇降機器による下降が阻止されるように前記壁は支持される。
【００７９】
本発明では、大平原地帯で上に向かって風防なしで建てられる従来の大工場や大型穀物貯蔵庫を頑丈に構築して台風に適用する。本発明は、従来、非可燃物であることがわかっている大型金庫内に黄土でできた家を提供する。本発明は、従来、非可燃物であることがわかっている大型金庫内にわらぶき小屋を構築する。本発明は、従来、非可燃物であることがわかっている大型金庫内に木造家屋を提供する。本発明では、有事に全ての窓とドアを閉じるか又は下降させることにより、大型台風で破壊されず、平原地帯や山岳地帯において建設される大規模な建物における犯罪者の不法侵入を防ぐ構造を有する建物を提供する。全てのドアと窓が閉じられるため、突発状況に効果的に対処することができる。本発明では、押し入り強盗の侵入や台風の急襲に備える建物が考案されている。
【００８０】
同時に、泥でできた家又は各種住宅のような外壁を有する大型倉庫の外形を有する木造家屋又は耐火性の刑務所のために考案されたコンクリート住宅に設置された窓（６）を開く方法は、容易に移動できるわらぶき小屋又は泥でできた家又は木造家屋には火災に対する脆弱性などの問題があったので、泥でできた家又は木造家屋が、そのための資金を取得して隣接家屋に設置された場合、通常のコンクリート造建物や鉄骨建物への適合方法と同じく、設計が容易な住宅を考案することにより、台風などを含む水分に対して脆弱なログキャビンは風雨などを含む水分に対して脆弱な黄土でできた家が風雨で破壊されるように、健康に良い材料が使われる住宅は重要であり、暴風雨に耐える防弾の黄土でできた家は、降雪量が多い山々の中の特にエベレスト山を始めとする、海岸などや軍事キャンプなどの場所において使用が可能であり、金庫室方法で建設が施工されることを図１に説明し、同時に、図２の既存壁５の上下移動中外側と内側から瞬間まで閉じることが考案されている。
【００８１】
昇降装置としてギアとマニュアルシステムとが併用されている油圧装置である図２の３は重量が約３０トンの建物を支えることができる。図２の５は、複数のドアと複数の窓の高さが同一である断面図に示したように４側面が遮断された部屋のような構造物として４側面に設置された既存建物の壁である。
【００８２】
図３は、安全皮膜としての役割を果たす前記二重壁と屋根が上昇して除去された状態で、複数のドア、窓及び階段が設置されていることを示すものである。
【００８３】
図１のドア４を通過し、図１の建物１における出口が開かれる場合、それは入口の構造である。
【００８４】
本発明は、頑丈に設計されたドア及び窓が設置されている大型金庫のような建物の安全構造に関するものであり、黄土でできた家が通常の火災や衝撃に耐えられないことを勘案してなされたものである。本発明を通常住宅のように窓やドア、玄関ドア、浴室及び居間などを設ける建物の外壁として設定し、コンクリート造建物とすることで収益を得ることが可能である。
【００８５】
図１の建物１では、前記住宅が防弾処理される場合に軍隊キャンプなどに利用可能な構造なので、山村遠隔地の猛獣から守られ、大型金庫、前記二重壁及び屋根は火災時に安全な構造を提供する。
【００８６】
本発明の特徴は、前記壁の４側面に前記二重壁が設定されると同時に、前記屋根とともに昇降し、前記窓の内側と外側を遮断し、電源がオフになると、特に台風や暴風雨の襲来時に、簡単な操作によって圧力を解除することで急速に下降させることができるという利点にあるが、前記油圧上昇機器に入り、液圧の利点を利用する図２の昇降装置はギアやレバーを用いて特定動作を行う前記マニュアルシステムよりも有利である。緊急事態に対する準備を行うため、従って、この事例は対照され、地下を通って外に出るための経路の確保が設定される（図２床側通路。前記地下道）。図２では、前記コンクリートが台風や地震などから隔離されるように設計されるため、複数の昇降装置を支える鉄骨構造を地下領域に挿入し、コンクリートを流し込むことで、その建設が非常に強力に実行され、それによって本発明の建物は地震によって分離することなく、全ての構造が一体で移動するようになっている。
【産業上の利用可能性】
【００８７】
産業における利用可能性。これまでの泥でできた家や非木造家屋（tree non）は、容易に取得、移動及び設置できるサイドハウスとして生まれ、この発明課題を解決するものである。火災住居の重い処分の発明方法。これまでの泥でできた家は暴風雨を考慮しないで建てられている
これまでのログキャビンは台風を考慮しないで建てられている 通常の健康を助長する優れた建築材料では暴風雨が考慮されていない。本発明により、山岳地帯で防弾性の軍事要員宿舎が考案され、内部居住の安全性を確保する方法が適用された。前記外側建物（１）自体、居住の安全性を確保する方法を必要とする。通常の鉄筋コンクリート構造の前記外側構造（１）も同様である。前記窓２が形成されている壁（図２の４と５）の外側と内側に設けられた壁は移動する。その結果、窓（６）を同時に開くことができるが、該窓は、油圧装置と手動操作型ギアシステムとが併用されている昇降装置（３）により閉じることが可能なように考案され、３０トン程の建物重量に基づいて、それを上昇させることが可能な機械が使用される。既存建物５の壁本体２の外形に規定され、該二重壁のさらなる上昇が停止され、出入口は大部分が同一である大部分の窓の高さに設定される。前記屋根と前記壁の昇降装置３の役割は二重壁本体が上昇動作が完了した状態で停止し、複数の出入口、窓及び階段が設定される。前記建物１の１と図１の建物５は２つの建物を通過するように密着するが、それは即時性通路で完全に阻止され、建物（１）の出入口ドア（図１の４）が出入り可能な構造となる
本発明は前記建物（１）の即時性ドアを制御する。本発明は換気の良い構造で安全である。ウォンは、前記家屋が２つの建物からなり、その内部が同一であり、耐火金庫のように形成され、入出路と窓が通常火災や衝撃に備えて頑丈に設定されるという事実を有する。通常の住居のように窓又はユニット、出入口を有し、建物には空気が補給され、大部分の外壁はコンクリートからなり、トイレや居間も設けられているがそれらは経済効率を刺激するものである。建物１の１である前記二重壁本体と前記屋根は防弾性を制御するため、防弾性を備えるように生産された建物は軍事要員の宿舎に使用することが可能であり、山岳地帯で頻繁に出現し繁殖する獰猛な動物（Maes pig）の脅威からも守られる金庫のように形成された構造とすることも可能である。火災の発生時にも安全な構造である。本発明の特徴は、屋根が前記二重壁本体に及んで前記壁本体を設定する場合に、その上昇を阻止することである。これは有益であり、効果的なことであり、強力な点でもあり、昇降装置（３）は前記ギアや前記レバーで手動操作されるか、又は油圧昇降機械を使用して操作される。前記壁の昇降時には力が必要とされるが、内部リールが製造によって迅速に作動できる場合、前記壁と前記屋根は圧力を引き出して簡単に下降できる。そのような作業は、台風が急速に接近する場合に有用である。前記壁は電源オン前ですら下降する。これは有用な技術である。停電時には、前記建物（１）で前記即時性通路につながる地下が準備され、それによって外に出ることが可能となる（２の底部の通路により）。さらに、昇降装置（３）を支える地下の鉄骨の大部分にはコンクリートが流し込まれる。その結果、健康を助長する時空構造が実現する。その結果として、その最下部は台風や地震によっても建物が分裂しないように考案されている。さらに、地震が発生すると、本発明の場合は分裂することがなく、横振れも一体で起こるようになっている。その結果、被害を軽減することが可能である。
【００８８】
本発明の屋根と外壁は空に向かって上昇するとともに下降するようになっている。このため、暴風雨や強風から守られ、強力な台風からも守られ、さらに、泥棒や強盗群などの押し入りも排除される。
【００８９】
同時に、本発明の二重外壁は天に向かって上昇中に全てのドアを開き、同時に、前記二重外壁は下降中に全てのドアを遮断する。
【００９０】
昇降機械の構造。
【００９１】
本昇降機械では、空気圧や油圧機器の動力又は前記ギアやマニュアルシステムを用いることにより、空に向かう上昇が複合的に達成される。
【００９２】
さらに、本昇降機械は、簡単な操作によって圧力を除去することで下降する機械装置である（図２の３）。
【００９３】
木造住居は火災を考慮しないで建てられる。本発明はこの問題を解決するものである。
【００９４】
本発明者は、そのような強力な非年火災安全の形態を研究した。その結果、外側は非年処分で作られ、内側には木造住居が作られる。
【００９５】
本発明は暴風雨に安全な黄土でできた家を取得し、犯罪を排除し阻止するわらぶき小屋を提供し、台風に安全な木造家屋を取得し、提供し、銃砲に対して安全な軍用住宅を提供する。
【００９６】
本発明は、泥でできた家、黄土でできた家、わらぶき小屋及び木造家屋を取得し、台風の襲撃を受けても破壊されないように支え、犯罪者からも守られる構造を有する建物を提供し、台風が多い平原地帯や山岳地帯に大型の建物を構築することが可能である。
【図面の簡単な説明】
【００９７】
【図１】図１は本発明の建物外観を示す一般図である。本発明の建物は階段とドア（２）を有する。隣接する他の建物（図１の５）と本発明の建物とは互いに分離されている。本発明の建物（１）と前記他の建物（図１の５）とは、安全確実な経路を介して接続されている。
【図２】図２は本発明を例示する断面図（図１の４４の下部と４５）であるが、階段（１３）及び前記他の建物（図１の５）は図示しない。
【図３】図３は、屋根とともに昇降する本発明の建物壁を除去した状態の斜視図である。複数のドア（２）と窓（６、７）は複数の壁に設けられる。前記他の建物（図１の５）は本発明の建物（１）に隣接して設置される。
【図１】
2009532596.tif 000003
【図２】
2009532596.tif 000004
【図３】
2009532596.tif 000005
【国際調査報告】
2009532596.tif 000006
2009532596.tif 000007